(57)【要約】      （修正有）【課題】頭皮の状態を良好にすることが出来て、使用者の眼球等に悪影響を及ぼすことがない美容器具に取り付け及び取り外し可能な光照射装置を提供する。【解決手段】発光ダイオード１Ａを複数備えた光照射装置１０は、美容器具としてのヘアドライヤー１００の吐出口１０１Ｂに、着脱可能である。光照射装置１０を取り付けたヘアドライヤー１００では、温風或いは冷風が利用者の毛髪（美容の対象）に向けて送風されるのと同時に、発光ダイオード１Ａから特定の波長の光が、ヘアドライヤー１００の利用者の頭皮に照射される。すなわち、利用者はヘアドライヤー１００による整髪効果と、光照射装置１０の特定波長の光の照射による頭皮改善効果を、同時に享受することが出来て、効率的に美容効果を得ることが出来る。【選択図】図４
2018102326.tif 000002
【特許請求の範囲】
【請求項１】
複数の発光ダイオードを備え且つ美容器具に取り付け及び取り外し可能であることを特徴とする光照射装置。
【請求項２】
前記複数のＬＥＤは曲線で構成される閉じた形状に配置されており、個々のＬＥＤから照射される光が前記形状の内側領域に向かって傾斜する方向に進行する請求項１の光照射装置。
【請求項３】
取り付け及び取り外し可能な噴霧装置を有しており、該噴霧装置は、液体貯蔵部と、該液体貯蔵部に貯蔵された液体を霧状に噴射する噴霧部を有している請求項１、２の何れかの光照射装置。
【発明の詳細な説明】
【技術分野】
【０００１】
本発明は、ヘアドライヤーその他の美容器具に取り付け及び取り外し可能な光照射装置に関する。
【背景技術】
【０００２】
美容器具には、髪型を整えるためのヘアドライヤー、顔の肌を活性化して所謂「美肌」にするための美顔用器具が含まれる。髪型と顔の肌は美貌に与える影響が大きく、特に美しい毛髪を取得することは、美容意識の高い現代においては重要性が極めて高い。
ここで、上述したようにヘアドライヤーの基本的な機能としては、洗髪により濡れた毛髪を乾かす機能、それにより髪型を整える（所謂「セットする」）機能がある。
【０００３】
図１４において、従来公知のヘアドライヤーＨは、空気吸入口ＣＡと吹出口ＣＢを設けており、筒状体からなる本体ケースＣを有し、本体ケースＣは電気絶縁性の合成樹脂成材料で構成されている。本体ケースＣの吸入口ＣＡ側には把持部Ｄが一体或いは折畳み自在に固定されており、使用者は把持部Ｄを手で握って本体ケースＣを支持、操作する。
ヘアドライヤーＨの電源のオン／オフ、送風の温度や強弱等は、把持部Ｄに設けられた操作スイッチ部ＳＷを操作して選択・調整することが出来る。
本体ケースＣ内には、吸入口ＣＡから空気を吸入して吹出口ＣＢから吹き出させる送風ファンＦ、送風ファンＦを駆動するモータＭ、ヒータＨＥが配置されている。
【０００４】
ヘアドライヤーＨにおいて温風を使用する場合には、送風ファンＦの回転により吸入口ＣＡから吸入した空気を、本体ケースＣ内空洞部の送風通路に配置したヒータＨＥにより加熱して、吹出口ＣＢから温風として吹き出させる。一方、ヘアドライヤーＨにおいて冷風を用いる際には、送風ファンＦの回転により吸入口ＣＡから吸入した空気を加熱せずに吹出口ＣＢから吹き出す。
図１４において、点線で示す矢印は空気の流れを示している。
【０００５】
近年、美しい毛髪を取得するためには頭皮の状態が多大な影響を及ぼすことが広く知られてきた。換言すれば、美しい毛髪を取得するためには、状態が良好な頭皮の存在が必須であることが、近年、広く知られるようになった。
そのため、ヘアドライヤーその他の美容器具を用いて頭皮の状態を良好にすることが求められているが、従来のヘアドライヤーには頭皮の状態を良好にする機能はない。
肌の状態を良好にすることが出来る従来技術として美顔用器具が存在するが、従来の美顔用器具は顔面の肌の美しくすることを意図しており、頭皮の状態を良好にすることが出来る美顔用器具は存在しない。
【０００６】
その他の従来技術としては、例えば、波長４６５〜４７０ｎｍの青色光を発光ダイオード（ＬＥＤ）から照射して、毛髪中の皮膚常在菌を殺菌するヘアドライヤーが提案されている（特許文献１参照）。
しかし、係るヘアドライヤーは頭皮の状態を良好にすることを意図するものではなく、上述した問題を解決することは出来ない。また、ヘアドライヤー使用者の眼球にＬＥＤからの青色光が照射されてしまうと、使用者の眼球に深刻な損傷を及ぼす可能性がある。
【先行技術文献】
【特許文献】
【０００７】
【特許文献１】特開２０１４−１２８５２４号公報
【発明の概要】
【発明が解決しようとする課題】
【０００８】
本発明は上述した従来技術の問題点に鑑みて提案されたものであり、頭皮の状態を良好にすることが出来て、使用者の眼球等に悪影響を及ぼさず、ヘアドライヤーその他の美容器具に取り付け及び取り外し可能な光照射装置の提供を目的としている。
【課題を解決するための手段】
【０００９】
近年、発光ダイオード（ＬＥＤ）から照射される光により細胞活性が向上すること、ＬＥＤから照射される光による細胞活性に副作用はないこと、ＬＥＤから照射される光により繊維芽細胞が増殖すること、成長因子が合成されること、コラーゲンが産出されること、血管新生が増加すること等が明らかになった。さらに、ＬＥＤ照射が皮膚組織や毛髪の治癒に効果があることが明らかになった。
本発明は係る知見に基づき提案されたものであり、本発明の光照射装置（１０、２０、３０）は、複数の発光ダイオード（１Ａ：以下、本明細書では「ＬＥＤ」と表示する）を備え且つ美容器具（１００、２００）に取り付け及び取り外し可能であることを特徴としている。
ここで、前記ＬＥＤは、例えば、６２０〜６７０ｎｍ（赤色）、４５０〜４８０ｎｍ（青色）、５６０〜６００ｎｍ（黄色）、５００〜５３０ｎｍ（緑色）の何れか或いは全ての波長の光を照射するのが好ましい。
本明細書において、美容器具という文言は、髪型を整えるためのヘアドライヤーと、顔の肌を活性化して所謂「美肌」にするための美顔用器具（例えば、美顔用ローラーその他の各種美顔用機器）を包含する意味で用いられている。
【００１０】
本発明において、複数のＬＥＤ（１Ａ）は曲線で構成される閉じた形状（例えば、円形、楕円形）に配置されており、個々のＬＥＤ（１Ａ）から照射される光が前記形状の内側領域に向かって傾斜する方向に進行するのが好ましい。
【００１１】
また本発明において、（前記光照射装置２０に）取り付け及び取り外し可能な噴霧装置（１５）を有しており、該噴霧装置（１５）は、液体貯蔵部（１５Ａ）と、該液体貯蔵部（１５Ａ）に貯蔵された液体（例えば、所謂「美髪」用の液体）を霧状に噴射する噴霧部（１５Ｂ）を有しているのが好ましい。
【００１２】
本発明の実施に際して、前記美容器具（１００）はヘアドライヤーであるのが好ましい。
或いは本発明の実施に際して、前記美容器具（２００）は美顔用器具（例えば、美顔用ローラーその他の各種美顔用機器）であるのが好ましい。
【発明の効果】
【００１３】
上述の構成を具備する本発明によれば、（例えばヘアドライヤーであれば）温風や冷風に加えて、光照射装置（１０、２０、３０）に設けられた複数のＬＥＤ（１Ａ）から照射される光が利用者の頭皮に照射されるので、当該利用者の頭皮における細胞活性が向上し、繊維芽細胞の増殖、成長因子の合成、コラーゲンの産出、血管新生の増加等により、皮膚組織や毛髪に良い影響を及ぼし、頭皮の状態を良好にすることが出来る。
そして、光照射装置（１０、２０、３０）は美容器具（１００、２００）に取り付け及び取り外し可能に構成されているので、既存のヘアドライヤー等に対して、取り付け可能な光照射装置（１０、２０、３０）を容易に製造することが出来る。そのため、既存のヘアドライヤー等を大幅に改造すること無く、本発明を適用することが可能である。
【００１４】
さらに、前記光照射装置（１０、２０、３０）に設けられた複数のＬＥＤ（１Ａ）は円形（楕円形を含む）に配置されており、個々のＬＥＤ（１Ａ）から照射される光が前記円形の半径方向内側に向かって傾斜する方向に進行するように構成すれば、ＬＥＤ（１Ａ）から照射される光は本発明の美容器具（１００、２００）の使用者の眼球に到達することはない。そのため、ＬＥＤ照射光により、使用者の眼球にダメージが与えられることが防止される。
【００１５】
これに加えて本発明において、前記光照射装置（２０）に噴霧装置（１５）を取り付け及び取り外し可能にせしめ、当該噴霧装置（１５）が液体（例えば、所謂「美髪」用の液体）を霧状に噴射する噴霧部を有するように構成すれば、温風や冷風による髪型のセット、ＬＥＤ照射による頭皮の活性に加えて、美髪用の液体を噴霧することにより毛髪の状態を良好にする効果も得られる。
【００１６】
ここで本発明は、ヘアドライヤーのみならず、美顔用器具（例えば、美顔用ローラーその他の各種美顔用機器）にも適用可能である。
【図面の簡単な説明】
【００１７】
【図１】本発明の第１実施形態の光照射装置を示す斜視図である。
【図２】第１実施形態に係る光照射装置の正面図である。
【図３】図２のＡ−Ａ線矢視断面図である。
【図４】第１実施形態の光照射装置をヘアドライヤーに取り付ける前の状態を示す側面図である。
【図５】図４における取付部の詳細を示す断面図である。
【図６】図４における取付部の第１変形例を示す詳細断面図である。
【図７】図４における取付部の第２変形例を示す詳細断面図である。
【図８】第１実施形態の光照射装置のＬＥＤから照射される光の方向を示す説明図である。
【図９】図８の横方向から見た状態を示す側面説明図である。
【図１０】第１実施形態の実装基板の１例を示す側面断面図である。
【図１１】本発明の第２実施形態を示す側面部分断面図である。
【図１２】本発明の第３実施形態を示す説明図であり、光照射装置を美顔ローラーに取り付ける以前の状態を示す図である。
【図１３】第３実施形態の光照射装置を美顔ローラーに取り付けた状態を示す側面図である。
【図１４】従来公知のヘアドライヤーを示す説明図である。
【発明を実施するための形態】
【００１８】
以下、添付図面を参照して、本発明の実施形態について説明する。
最初に図１〜図１０を参照して、本発明の第１実施形態を説明する。ここで、第１実施形態では、美容器具としてヘアドライヤーが例示されている。
図１、図２において、全体を符号１０で示す光照射装置は、電気絶縁性の合成樹脂材料で形成された概略筒状のケース部２と、複数のＬＥＤ１Ａを円形形状に配置してケース部２の前端（図１の左側）に設けられたＬＥＤ部１を有している。
【００１９】
図３で示すように、ケース部２の前端（図１の左端部）には、透明な合成樹脂材料で形成された円環状のカバー３が取り付けられ、カバー３により複数のＬＥＤ１Ａは被覆されている。
図３を参照して後述するが、ＬＥＤ部１は、複数のＬＥＤ１ＡとＬＥＤ１Ａをケース部２の前端に取り付けるための部材から構成されている。
【００２０】
図２及び図３を参照して、ＬＥＤ部１の詳細な構成を説明する。
図３において、複数のＬＥＤ１Ａは、それぞれ通電端子１Ｂを介して実装基板１Ｃに設置され、ＬＥＤ１Ａと実装基板１Ｃの間には図示しない断熱板が介装されている。
実装基板１Ｃ、図示しない前期断熱板、後述する支持部材１Ｄは円環状の板材であり、実装基盤１Ｃ上に概略等間隔に複数のＬＥＤ１Ａが設置されている。
【００２１】
図３において、複数のＬＥＤ１Ａを設置した実装基板１Ｃは、スペーサ１Ｅを介して支持部材１Ｄに固定される。概略筒状に形成されたケース部２の前端近傍（図３では左端近傍）に設けたＬＥＤ取付部２Ａに固定されている。ここで支持部材１Ｄは、円周方向複数個所（例えば４箇所）において、ネジ等（図示せず）の周知手段によりＬＥＤ取付部２Ａに固定される。
透明な合成樹脂材料で形成された円環状のカバー３が、円環状に配置された複数のＬＥＤ１Ａを被覆して配置されているが、カバー３は内周側縁部と外周側縁部において、複数個所で支持部材１Ｄに取り付けられている。なおカバー３の外周側端部をケース部２の前端部（図３の左端部）に固定し、内周側端部を支持部材１Ｄに固定することも可能である。
【００２２】
図１、図３において、ケース部２の後端（図１、図３の右側）はヘアドライヤー１００への取付側であり、ケース部２の後端近傍にはヘアドライヤー取付部２Ｂが形成されている。ヘアドライヤー取付部２Ｂの詳細については、図５〜図７を参照して後述する。
ＬＥＤ部１とケース部２から構成された光照射装置１０をヘアドライヤー１００（図１〜図３では図示せず）の空気吹出口近傍に取り付けた場合、ヘアドライヤー１００から吹き出す温風或いは冷風は、図３の矢印Ｆ１で示すように光照射装置１０内部に流入し、矢印Ｆ２で示すように光照射装置１０のＬＥＤ部１側から使用者の毛髪に送風される。
【００２３】
ここで、複数のＬＥＤ１Ａとして、波長が６２０〜６７０ｎｍ（赤色）、４５０〜４８０ｎｍ（青色）、５６０〜６００ｎｍ（黄色）、５００〜５３０ｎｍ（緑色）のものの中から、それぞれの皮膚蘇生効果を考慮して、選択することが出来る。
ＬＥＤ１Ａの種類を選択するに際しては、何れか１種類の波長のＬＥＤを選択しても良いし、複数種類の波長のＬＥＤを選択して光照射装置１０に取り付けても良い。或いは全ての種類の波長のＬＥＤを選択して、光照射装置１０に取り付けても良い。
【００２４】
光照射装置１０をヘアドライヤー１００に取り付けた状態が、図４で示されている。
図４において、ヘアドライヤー１００は、温風／冷風の吹出口１０１Ｂの近傍で、図１〜図３を参照して説明した光照射装置１０を取り付けている。図４で示すヘアドライヤー１００は、図１４で示すドライヤーＨに対して、光照射装置１０の取り付け構造が追加されたこと、光照射装置１０への電力供給機構が追加されたことが異なっているが、基本的な構造は同様である。
【００２５】
図４において、送風ファン１０３の回転により吸入口１０１Ａから空気が吸入され、吸入された空気はヒータ１０５側に送風される。図４では、ヒータ１０５側に送風された空気を矢印Ｆ３で示している。
ヘアドライヤー１００の利用者が温風を利用する場合には、送風された空気Ｆ３はヒータ１０５により加熱され、冷風を利用する場合には空気Ｆ３は加熱されない。そして、加熱された或いは加熱されない空気（温風或いは冷風：矢印Ｆ４）は、吹出口１０１Ｂから光照射装置１０側に吹き出し、光照射装置１０の内部（空気通路）を通過して、ＬＥＤ部１側（図４では左側）から利用者の毛髪に向けて送風される（矢印Ｆ５）。
【００２６】
図４で示すように、光照射装置１０を取り付けたヘアドライヤー１００では、温風或いは冷風が利用者の毛髪（美容の対象）に向けて送風されるのと同時に、ＬＥＤ１Ａから特定の波長の光が、ヘアドライヤー１００の利用者の頭皮に照射される。
すなわち、利用者はヘアドライヤー１００による整髪効果と、光照射装置１０のＬＥＤ照射による頭皮改善効果を、同時に享受することが出来て、効率的に美容効果を得ることが出来る。
もちろん、ヘアドライヤー１００による送風と光照射装置１０のＬＥＤからの光照射を、それぞれ単独で行なうことも可能である。
【００２７】
図示はしないが、ヘアドライヤー１００の操作スイッチ部１０７を操作することにより、光照射装置１０の電源のオン・オフ、点灯するＬＥＤの特定（使用する波長の選択）、ＬＥＤから照射される光の強弱を選択・調整することが可能である。
図４において、符号Ｂで示す箇所は、光照射装置１０をヘアドライヤー１００へ取り付ける箇所であり、以下、図５〜図７を参照して説明する。
【００２８】
図５（１）において、光照射装置１０の後端部近傍（図１、図３、図４では右側端部近傍）に取付部２Ｂが設けられている。取付部２Ｂは、ケース部２と一体的に形成されており、ケース部２の本体側部分２Ｂ１、本体側部分２Ｂ１から半径方向内方に略々垂直に延在する垂直部２Ｂ２、垂直部２Ｂ２の半径方向内側端部（図５（１）では下端）から光照射装置１０側（図５（１）では右側）へ軸方向に（水平に）延在する水平部２Ｂ３を有している。
水平部２Ｂ３の後端（図５（１）では右端）近傍には、半径方向内方に突出する突起部２Ｂ４が形成されている。
【００２９】
突起部２Ｂ４の半径方向内方（図５（１）では下方）には電極２Ｂ５が埋め込まれ、電極２Ｂ５を介して光照射装置１０のＬＥＤ部１に動作電力が送られる様に構成されている。
取付部２Ｂは、円周方向略等間隔に複数個所（例えば４箇所）設けられる。但し、電極２Ｂ５は、最低限１箇所設けられていれば良い。取付部２Ｂを円周方向略等間隔に複数個所（例えば４箇所）設けているので、水平部２Ｂ３も円周方向の一部において軸方向（図５、図６の左右方向）へ延在している。円周方向全域に亘って、軸方向に延在する訳ではない。
【００３０】
図５（１）において、ヘアドライヤー１００の前端部（図５（１）では左端部）近傍には、ヘアドライヤー１００側の取付部１０２Ｂが設けられている。
本体ケース１０１の前端近傍の外周側には係止部材１１０が設けられ、係止部材１１０は締結部材１１２によりヘアドライヤー１００の軸方向に略々平行に延在している。係止部材１１０の前端部（光照射装置１０側）には、半径方向外方に突出する突起部１１１が形成される。
係止部材１１０と本体ケース１０１の間にはスペーサ１１３が介在し、光照射装置１０を取り付ける際に、係止部材１１０が半径方向に弾性変形した際に、その変位量を吸収可能となっている。
【００３１】
係止部材１１０の前端（図５（１）では左端）近傍において、突起部１１１の手前側（図５（１）の右側）には電極１０８が埋め込まれている。電極１０８には、図示しない回路を介して、ヘアドライヤー１００側の電源から電力が供給される。
係止部材１１０等により構成されるヘアドライヤー１００側の取付部は、全体が符号１０２Ｂで示されている。そしてヘアドライヤー１００側の取付部１０２Ｂは、光照射装置１０側の取付部２Ｂに対応して、円周方向略等間隔に複数個所（例えば４箇所）形成されている。
【００３２】
光照射装置１０をヘアドライヤー１００に取り付ける際には、光照射装置１０側の取付部２Ｂの位置をヘアドライヤー１００側の取付部１０２Ｂの位置に整合させて、光照射装置１０の取付部２Ｂ）をヘアドライヤー１００の取付部１０２Ｂの方向（矢印ＡＲ１方向：図５（１）では右側）に挿入する。
光照射装置１０側の取付部２Ｂをヘアドライヤー１００側の取付部１０２Ｂへ挿入すると、光照射装置１０側の水平部２Ｂ３の突起部２Ｂ４が、水平部２Ｂ３及び係止部材１１０の弾性反撥力に抗して、ヘアドライヤー１００側の係止部材１１０の突起部１１１を乗り越える。そして、図５（２）で示す様に、突起部２Ｂ４と突起部１１１が係合する。その際にヘアドライヤー１００側の締結部材１１２の上方端部が水平部２Ｂ３（突起部２Ｂ４）に当接して、水平部２Ｂ３（突起部２Ｂ４）がヘアドライヤー１００側（図５の右側）に侵入し過ぎてしまうことを防止する（ストッパ―として作用する）。
【００３３】
上述のように円周方向の複数個所（例えば４箇所）において軸方向（図５の左右方向）に延在している取付部２Ｂと取付部１０２Ｂとが係合する部分を設けることにより、光照射装置１０はヘアドライヤー１００に取り付けられる。
図５（２）の状態で光照射装置１０がヘアドライヤー１００に取り付けられると、光照射装置１０の電極２Ｂ５とヘアドライヤー１００側の電極１０８が当接する。換言すれば、光照射装置１０の電極２Ｂ５とヘアドライヤー１００側の電極１０８は、取付部２Ｂと取付部１０２Ｂとが係合と当接する様に設定されているので、電極２Ｂ５、電極１０８間は電通状態となる。
その結果、ヘアドライヤー１００側の電源（既存の電源）から、ヘアドライヤー１００側の電極１０８、光照射装置１０の電極２Ｂ５を介して、光照射装置１０のＬＥＤ部１が発光するために必要な電力が供給される。
【００３４】
光照射装置１０をヘアドライヤー１００から取り外す場合には、利用者の指で光照射装置１０側の取付部２Ｂにおける水平部２Ｂ３を円周方向両サイドから保持して、水平部２Ｂ３の突起部２Ｂ４を半径方向外方に移動すれば良い。
突起部２Ｂ４を半径方向外方に移動することは容易であり、これにより取付部２Ｂと取付部１０２Ｂとの係合が解除され、電極２Ｂ５、電極１０８間は非電通状態となり、光照射装置１０はヘアドライヤー１００から取り外される。
【００３５】
図６を参照して、光照射装置１０をヘアドライヤー１００に取り付ける構造の第１変形例を説明する。
図６（１）において、光照射装置１０の後端部（図６（１）では右側端部）近傍において、ケース部２と一体的に形成された取付部２ＢＡは、ケース部２の本体側部分２ＢＡ１、本体側部分２ＢＡ１から半径方向内方に略々垂直に延在する垂直部２ＢＡ２、垂直部２ＢＡ２の半径方向内側端（図６（１）では下端）から光照射装置１０の軸方向（図６では左右方向）へ略々水平に延在する水平部２ＢＡ３を有している。
水平部２ＢＡ３の前端側（図６（１）では右側）の半径方向内方（図６（１）では下方）の面（内周面）には雌ネジ２ＢＡ４が形成されている。
【００３６】
雌ネジ２ＢＡ４には、軸方向中央近傍に切り欠き部（符号なし）が形成され、当該切り欠き部には電極２ＢＡ５が埋め込まれている。そして電極２ＢＡ５を介して、光照射装置１０のＬＥＤ部１が発光するのに必要な電力が供給される様になっている。
雌ネジ２ＢＡ４は取付部２ＢＡの円周方向全体に亘って形成されているが、電極２ＢＡ５は円周方面全体に形成する必要はない。後述するように、ヘアドライヤー１００側の電極１１４と確実に接触する様に形成されていれば足りる。
【００３７】
図６（１）において、ヘアドライヤー１００の前端部（図６（１）では左端）近傍には、ヘアドライヤー１００側の取付部１０２ＢＡが設けられている。
ヘアドライヤー１００の本体ケース１０１の前端（図６（１）では左端）近傍の外周側（図６（１）では上側）には突出部１０９が設けられ、突出部１０９の外周には雄ネジ１０９Ａが形成されている。突出部１０９の外周面（図６（１）では上面）は軸方向（図６の左右方向）と略々平行である。
図６（１）において、符号１０９Ｂは突出部１０９と一体的に形成された突部で、光照射装置１０を取り付ける際に雌ネジ２ＢＡ４のストッパ―として機能する。
【００３８】
雄ネジ１０９Ａには軸方向中央近傍に切り欠き部（符号なし）が形成され、当該切り欠き部には電極１１４が埋め込まれ、電極１１４は図示しない回路を介してヘアドライヤー１００側の電源に連通している。
ヘアドライヤー１００側の取付部１０２ＢＡは、光照射装置１０側の取付部２ＢＡに対応して円周全体に亘って設けられているが、電極１１４は光照射装置１０側の電極２ＢＡ５の位置に対応して設けられている。換言すれば、電極１１４はヘアドライヤー１００に光照射装置１０を取り付けた際に、電極２ＢＡ５と確実に接触する位置に設置されている。
【００３９】
図６（１）において、光照射装置１０をヘアドライヤー１００に取り付ける際には、光照射装置１０側の取付部２ＢＡをヘアドライヤー１００側の取付部１０２ＢＡに整合し、光照射装置１０の取付部２ＢＡを回転して、雌ネジ２ＢＡ４と雄ネジ１０９Ａを螺合する。
上述のように光照射装置１０側の雌ネジ２ＢＡ４とヘアドライヤー１００側の雄ネジ１０９Ａが螺合することにより、光照射装置１０はヘアドライヤー１００に取り付けられ手、図６（２）で示す状態となる。
【００４０】
図６（２）の状態で示すように光照射装置１０がヘアドライヤー１００に取り付けられると、光照射装置１０の電極２ＢＡ５とヘアドライヤー１００側の電極１１４が接触し、電極２ＢＡ５、電極１１４間が電通状態となる。したがって、ヘアドライヤー１００側の電源により、ヘアドライヤー１００側の電極１１４、光照射装置１０の電極２ＢＡ５を介して、光照射装置１０のＬＥＤ部１が発光するのに必要な電力が供給される。
光照射装置１０をヘアドライヤー１００から取り外すに際しては、図６（２）の状態から、光照射装置１０の取付部２ＢＡを回転して、雌ネジ２ＢＡ４と雄ネジ１０９Ａを螺合解除すれば良い。
【００４１】
図７を参照して、光照射装置１０をヘアドライヤー１００に取り付ける構造の第２変形例を説明する。
図７（１）で、光照射装置１０の後端部（図７（１）の左端側）近傍において、ケース部２と一体的に形成された取付部２ＢＢは、ケース部２の本体側部分２ＢＢ１、本体側部分２ＢＢ１から半径方向内方に略々垂直に延在する垂直部２ＢＢ２、垂直部２ＢＢ２の半径方向内側端（図７（１）の下端）から光照射装置１０の軸方向（図７の左右方向）へ水平に延在する水平部２ＢＢ３を有する。
水平部２ＢＢ３の端部（図７（１）では右端）近傍には、支軸２ＢＢ４Ａと角型環状の係止部２ＢＢ４Ｂより構成されるが設けられており、係止部材２ＢＢ４は支軸２ＢＢ４Ａに一端を回動自在に支持されている。
【００４２】
また、水平部２ＢＢ３の前端近傍の半径方向内方面（図７（１）では下面）には電極２ＢＢ５が埋め込まれ、電極２ＢＢ５を介して光照射装置１０のＬＥＤ部１が発光するのに必要な電力が供給される。
取付部２ＢＢは、円周方向略等間隔に複数個所（例えば４箇所）設けられている。但し、電極２Ｂ５は少なくとも１箇所あれば良い。
【００４３】
図７（１）において、ヘアドライヤー１００側には全体を符号１０２ＢＢで示す取付部が設けられている。
本体ケース１０１の前端（図７（１）では左端）近傍の外周側（図７（１）では上側）に突出部１１５が設けられ、突出部１１５の外周側（図７（１）では上側）には光照射装置１０側の係止部材２ＢＢ４に対応する係止受け部１１６が設けられている。
突出部１１５の光照射装置１０側（図７で左側）の外周側（図７（１）では上側）には電極１１７が埋め込まれ、電極１１７には図示しない回路を介してヘアドライヤー１００側の電源から電力が供給される。
【００４４】
光照射装置１０側の水平部２ＢＢ３の内周面（図７（１）では下面）とヘアドライヤー１００側の本体ケース１０１の外周面（図７（１）では上面）とは、取り付けた際に、面一となるように設定されている。
本体ケース１０１に設けられた突出部１１５の半径方向寸法（厚さ寸法）は、光照射装置１０側の取付部２Ｂの水平部２ＢＢ３の半径方向寸法（厚さ寸法）と概略等しい。光照射装置１０をヘアドライヤー１００に取り付ける際に、突出部１１５は、光照射装置１０側の水平部２ＢＢ３のストッパ―として機能する。
ヘアドライヤー１００側の取付部１０２ＢＢは、光照射装置１０側の取付部２ＢＢに対応する位置に、円周方向略等間隔に複数個所（例えば４箇所）設けられている。
【００４５】
光照射装置１０をヘアドライヤー１００に取り付けるに際しては、光照射装置１０側の取付部２ＢＢの位置をヘアドライヤー１００側の取付部１０２ＢＢと整合する。そして取付部２ＢＢを取付部１０２ＢＢ側（矢印ＡＲ３側）に、水平部２ＢＢ３の先端（図７（１）では右端）が突出部１１５に当接するまで挿入する。そして、水平部２ＢＢ３の係止部材２ＢＢ４の角型環状の係止部２ＢＢ４Ｂを図７（１）の時計方向へ回動して係止部２ＢＢ４Ｂを係止受け部１１６に係合すれば、光照射装置１０はヘアドライヤー１００に取り付けられる（図７（２）の状態）。
なお、光照射装置１０をヘアドライヤー１００に取り外すには、図７（２）において、係止部２ＢＢ４Ｂを図７（２）の反時計方向へ回動して、係止部２ＢＢ４Ｂを係止受け部１１６から係合解除すれば良い。
【００４６】
複数個所（例えば４箇所）の光照射装置１０側の取付部２ＢＢとヘアドライヤー１００側の取付部が係合することにより、光照射装置１０はヘアドライヤー１００に確実に取り付けられて、図７（２）の状態になる。
図７（２）の状態で光照射装置１０がヘアドライヤー１００に取り付けられると、光照射装置１０の電極２ＢＢ５とヘアドライヤー１００側の電極１１７が接触し、電極２ＢＢ５、電極１１７間が電通状態となる。したがって、ヘアドライヤー１００側の電極１１７、光照射装置１０の電極２ＢＢ５を介して、ヘアドライヤー１００側の電源から、光照射装置１０のＬＥＤ部１が発光するのに必要な電力を供給することが出来る。
【００４７】
次に、図８、図９、図１０を参照して、第１実施形態の光照射装置１０のＬＥＤから照射される光の方向について説明する。
図１、図２を参照して上述したように、ＬＥＤ部１の複数のＬＥＤ１Ａは、図示しない実装基板１Ｃ上で略等間隔をもって円形状に配置されている。
個々のＬＥＤ１Ａは、それぞれが配置される位置において、光照射装置１０の軸方向（図３、図９では左右方向）に対して半径方向内方に向かって傾斜した方向に光を照射する様に設置されており、個々のＬＥＤ１Ａから照射された光は、軸方向に対して半径方向内方に向かって傾斜した方向に進行する。図８、図９において、ＬＥＤから照射される光の進行方向は、矢印Ｌで示されている。
【００４８】
図８、図９には明確に明示されていないが、個々のＬＥＤ１Ａを実装基板１Ｃ（図３参照）に設置する際に、設置方向を調整することにより、個々のＬＥＤ１Ａから照射された光が、軸方向に対して半径方向内方に向かって傾斜した方向に進行する様にせしめることが出来る。
或いは、ＬＥＤ１Ａを設置する実装基板を図１０の実装基板１ＣＡで示す様な形状にすれば良い。図１０で示す実装基板１ＣＡは円環状の平板でなく、ＬＥＤ１Ａの取り付け面１ＣＡＳが半径方向内方から半径方向外方に向かうに連れて肉厚になるように、円環のＬＥＤ取り付け面１ＣＡＳが傾斜している。図１０において、符号１ＣＡＨは貫通孔である。
ＬＥＤ１Ａを傾斜させて設置する態様については、上記に限定されるものではなく、種々の態様を採用可能である。
【００４９】
図１〜図１０の第１実施形態によれば、ヘアドライヤー１００の温風や冷風に加えて、光照射装置１０に設けられた複数のＬＥＤ１Ａから照射される光が利用者の頭皮に照射されるので、ＬＥＤ１Ａから照射される光の波長により、当該利用者の頭皮における細胞活性が向上し、繊維芽細胞の増殖、成長因子の合成、コラーゲンの産出、血管新生の増加等により、皮膚組織や毛髪に良い影響を及ぼし、頭皮の状態を良好にすることが出来る。
そして、光照射装置１０はヘアドライヤー１００に取り付け及び取り外し可能に構成されているので、既存のヘアドライヤー１００に対して、容易に適用することが可能である。換言すれば、既存のヘアドライヤー１００を大幅に改造すること無く、第１実施形態を適用することが可能である。
【００５０】
また図示の第１実施形態によれば、光照射装置１０に設けられた複数のＬＥＤ１Ａは円形に配置されており、且つ個々のＬＥＤ１Ａから照射される光が前記円形の半径方向内側領域に向かって傾斜する方向に進行するようにＬＥＤ１Ａを配置しているので、ＬＥＤ１Ａから照射される光は本発明のヘアドライヤー１００の使用者の眼球に到達することはない。そのため、ＬＥＤ１Ａから照射される光により、使用者の眼球にダメージが与えられることが防止される。
【００５１】
それに加えて図示の第１実施形態によれば、光照射装置１０をヘアドライヤー１００に取り付けた際に、光照射装置１０側の電極とヘアドライヤー１００側の電極が当接し、ヘアドライヤー１００側から光照射装置１０側に電力供給が可能な状態になるので、光照射装置１０側の電源を新たに設けなくても、ヘアドライヤー１００側の電源によりＬＥＤ１Ａが光を照射するのに必要な電力が供給される。
【００５２】
次に、図１１を参照して、本発明の第２実施形態を説明する。
図１１において、ヘアドライヤー１００の吹出口１０１Ｂ側（図１１の左側）に、第２実施形態に係る光照射装置２０が取り付けられている。
光照射装置２０は、ケース部２２の上面に取り付け及び取り外し可能な噴霧装置１５を有する点で、第１実施形態における光照射装置１０とは異なっている。そして、光照射装置２０のケース部２２内の上方空間は、噴霧装置１５の噴射部１５Ｂの設置と、噴霧のための空間を確保するため、下方の空間や側方の空間に比較して大きく構成されている。換言すれば、図１１の左側から視た光照射装置２０の形状は、真円形ではなく、上下に長い（縦長の）楕円形となっている。
図１１の光照射装置２０におけるその他の構造は、第１実施形態における光照射装置１０と同様である。
【００５３】
図１１において、噴霧装置１５は、整髪料等の所謂「美髪」用の液体をケース部２２内で霧状に噴霧する機能を有している。
噴霧装置１５は、ケース部２２の上面側に設置される液体貯蔵部１５Ａと、ケース部２２内に設置される噴霧部１５Ｂと、液体貯蔵部１５Ａと噴霧部１５Ｂを連通する連通管１５Ｃを有しており、連通管１５Ｃは光照射装置２０のケース部２２の上面に貫通している。そして噴霧装置１５は、締結部材１５Ｄによりケース部２２の上面に固定されている。ただし、噴霧装置１５をケース部２２の上面に固定する態様は、締結部材１５Ｄ以外の部材を用いても良い。
噴霧装置１５には、ヘアドライヤー１００側の電源から光照射装置２０に供給される電力の一部が、図示しない回路を介して供給されている。
【００５４】
光照射装置２０をヘアドライヤー１００に取り付け、ヘアドライヤー１００の操作スイッチ部１１８を操作してヘアドライヤーを作動させると、温風或いは冷風が、矢印Ｆ６で示すように、ヘアドライヤー１００内の送風通路、光照射装置２０内の空気通路を通過して、光照射装置２０の出口から利用者の毛髪（美容対象）に向けて送風される。
図１１において、操作スイッチ部１１８を操作し噴霧装置１５を作動させると、噴霧装置１５の噴霧部１５Ｂから美髪用の液体が光照射装置２０の空気通路に霧状に噴霧される（矢印Ｆ７）。
【００５５】
噴霧装置１５から噴霧された霧状の美髪用液体は、ヘアドライヤー１００から送風される温風或いは冷風に連行されて、美容対象である使用者の毛髪まで効率的に到達する。
或いはヘアドライヤー１００からの送風がない場合でも、噴霧装置１５の噴霧力により、噴霧装置１５に貯蔵されている美髪用の液体を、使用者の毛髪に到達されることが可能である。
噴霧装置１５から美髪用液体を噴霧することに加えて、光照射装置２０のＬＥＤ１Ａを点灯させれば、ＬＥＤ１Ａから特定の波長の光が使用者の頭皮に照射され、使用者の頭皮の状態を改善することも行われる。
【００５６】
図１１の第２実施形態によれば、光照射装置２０に噴霧装置１５を取り付け及び取り外し可能にし、当該噴霧装置１５が美髪用の液体を霧状に噴射する噴霧部を有しているので、温風や冷風による髪型のセット、ＬＥＤ照射による頭皮の活性化に加えて、美髪用の液体を噴霧することにより毛髪の状態を良好にする効果も得られる。
特にヘアドライヤー１００から送風される温風や冷風と共に美髪用の液体を噴霧することで、噴霧された美髪用液体はヘアドライヤー１００から送風される温風或いは冷風に連行されて、美容対象である使用者の毛髪へ効率的に供供給される。
図１１の第２実施形態におけるその他の構成及び作用効果は、図１〜図１０で説明した第１実施形態と同様である。
【００５７】
次に、図１２、図１３を参照して、本発明の第３実施形態を説明する。
図１〜図１１の第１実施形態及び第２実施形態では美容器具はヘアドライヤー１００であるが、図１２、図１３の第３実施形態では、美容器具は美顔ローラー２００（美顔器）である。
美顔ローラー２００は、ヘッド部２０１に上下一対のローラー２０２を有し、図示しない電源によりローラー２０２を回転させて顔の皮膚をマッサージすることで血流を促進し、顔の皮膚の新陳代謝を活発にする効果がある。
図１２、図１３において、符号２０４は操作スイッチ部である。
【００５８】
図１２において、光照射装置３０は第１実施形態における光照射装置１０と同様であるが、ヘアドライヤー１００でなく美顔ローラー２００に取り付けるため、第１実施形態における光照射装置１０とは、内外径、側面方向の長さ等の各種寸法、ＬＥＤ１Ａの数等が異なっている。
光照射装置３０を美顔ローラー２００に取り付けた際に、美顔ローラー２００のローラー２０２が光照射装置３０の先端のＬＥＤ部３１より突出させる（図１３参照）必要があるため、光照射装置３０の軸線方向（図１２、図１３の左右方向）長さＬ１２は、図１〜図１１の実施形態に比較して、小さく設定されている。
光照射装置３０を美顔ローラー２００側へ取り付けるための取付機構３２Ｂ、美顔ローラー２００側からの電力供給機構も、図１〜図１１の各実施形態と同様である。
【００５９】
光照射装置３０を美顔ローラー２００に取り付けた状態を示す図１３において、ローラー２０２が光照射装置３０よりも光照射方向（図１３の左方向）に突出している。
美顔ローラー２００の美顔効果を発揮するためにはローラー２０２が使用者顔面に接触する必要があるが、ローラー２０２が光照射装置３０よりも光照射方向（図１３の左方向）に突出していなければ、光照射装置３０が使用者顔面に当接してしまい、ローラー２０２は使用者顔面に接触することが出来ないからである。
【００６０】
美顔ローラー２００を使用する際に、操作スイッチ部２０４を操作することにより光照射装置３０を作動して、ＬＥＤから所望の波長、強さの光を照射して、使用者の皮膚の活性化を図ることが出来る。
そして図１３で示すように、光照射装置３０を美顔ローラー２００に取り付けて使用する場合、美顔ローラー２００を作動させて美容対象である顔のトリートメントを行なった後、引き続き、光照射装置３０から光を照射して頭皮の活性化を図ることが出来る。
【００６１】
図１２、図１３の第３実施形態によれば、美顔ローラー２００により利用者顔面の皮膚のトリートメントを行うことが出来るのに加え、光照射装置３０から照射されるＬＥＤ光を利用者の頭皮に照射することで、当該利用者の頭皮における細胞活性が向上し、繊維芽細胞の増殖、成長因子の合成、コラーゲンの産出、血管新生の増加等により、皮膚組織や毛髪に良い影響を及ぼし、頭皮の状態を良好にすることが出来る。そのため、美容効果を相乗的に向上することが出来る。
図１２、図１３の第３実施形態におけるその他の構成及び作用効果は、図１〜図１０で説明した第１実施形態と同様である。
【００６２】
図示の実施形態はあくまでも例示であり、本発明の技術的範囲を限定する趣旨の記述ではないことを付記する。
【符号の説明】
【００６３】
１、２１、３１・・・ＬＥＤ部
１Ａ・・・ＬＥＤ
１Ｂ・・・通電端子
１Ｃ、１ＣＡ・・・実装基板
１Ｄ・・・支持部材
１Ｅ・・・スペーサ
２、２２、３２・・・ケース部
２Ａ・・・ＬＥＤ取付部
２Ｂ、２ＢＡ、２ＢＢ、３２Ｂ・・・ヘアドライヤー（美顔ローラー）側取付部
２Ｂ１、２ＢＡ１、２ＢＢ１・・・本体側部分
２Ｂ２、２ＢＡ２、２ＢＢ２・・・垂直部
２Ｂ３、２ＢＡ３、２ＢＢ３・・・水平部
２Ｂ４，１１１・・・突起部
２Ｂ５、２ＢＡ５、２ＢＢ５・・・電極
２ＢＡ４・・・雌ネジ
２ＢＢ４・・・係止部材
３・・・円環状のカバー
１０、２０、３０・・・光照射装置
１５・・・噴霧装置
１５Ａ・・・液体貯蔵部
１５Ｂ・・・噴霧部
１５Ｃ・・・連通管
１５Ｄ・・・締結部材
１００・・・ヘアドライヤー
１０１・・・本体ケース
１０１Ａ・・・吸入口
１０１Ｂ・・・吹出口
１０２・・・把持部
１０２Ｂ、１０２ＢＡ、１０２ＢＢ・・・光照射装置側取付部
１０３・・・送風ファン
１０４・・・モータ
１０５・・・ヒータ
１０７、１１８、２０４・・・操作スイッチ部
１０８、１１４、１１７・・・電極
１０９・・・突出部
１０９Ａ・・・雄ネジ
１０９Ｂ・・・突部
１０９Ｃ・・・切り欠き部
１１０・・・係止部材
１１２・・・締結部材
１１３・・・スペーサ
１１５・・・突出部
１１６・・・係止受け部
２００・・・美顔ローラー
２０１・・・ヘッド部
２０２・・・ローラー
２０３・・・取付部
【図１】
2018102326.tif 000003
【図２】
2018102326.tif 000004
【図３】
2018102326.tif 000005
【図４】
2018102326.tif 000006
【図５】
2018102326.tif 000007
【図６】
2018102326.tif 000008
【図７】
2018102326.tif 000009
【図８】
2018102326.tif 000010
【図９】
2018102326.tif 000011
【図１０】
2018102326.tif 000012
【図１１】
2018102326.tif 000013
【図１２】
2018102326.tif 000014
【図１３】
2018102326.tif 000015
【図１４】
2018102326.tif 000016